(57)【特許請求の範囲】
【請求項１】
顧客の注文に応じ、コンピュータを使用して、電気機器を収納する盤を設計する方法であって、顧客が注文した盤の仕様を盤の種類、電源の種類、電気機器の種類を指定する情報としてコンピュータに入力する手順と、コンピュータが入力情報を解釈し、盤仕様に適合する電気機器とボックスを選定し、該電気機器およびボックスを含む盤の見積情報と図面情報を出力する手順とを備え、
前記コンピュータが盤仕様に適合する電気機器を選定した後に、該電気機器がユニット対応機器であるか否かを判断し、
前記電気機器がユニット対応機器である場合に、該電気機器を搭載したユニットおよびボックスを含むユニット仕様盤の見積情報と図面情報を出力し、
前記電気機器がユニット対応機器でない場合に、該電気機器を収納できるボックスの暫定寸法を算出し、暫定寸法のボックス内部に電気機器を配置した特注仕様盤の見積情報と図面情報を出力することを特徴とする盤設計方法。
【発明の詳細な説明】
【技術分野】
【０００１】
本発明は、電気機器を収納する分電盤、配電盤、制御盤等を、顧客の注文に応じ、コンピュータを用いて設計する方法に関する。
【背景技術】
【０００２】
従来、分電盤の設計にあたり、顧客が注文した仕様を受注者（営業又は設計担当者）が解釈し、ブレーカやボックスの製品番号をコンピュータに入力し、見積情報と図面情報をデータベースから入手する技術が知られている。例えば、特許文献１には、標準ブレーカの品番を入力し、その画像と仕様情報を画面に表示して、標準機器からの流用設計を容易にする方法が記載されている。特許文献２には、型番を手掛かりに標準機器をデータベースから検索し、顧客の注文仕様と一致しないときに、組換え部品を別のデータベースから検索する方法が記載されている。
【先行技術文献】
【特許文献】
【０００３】
【特許文献１】特開２０００−３０５９７２号公報
【特許文献２】特開２００６−１０７０１７号公報
【発明の概要】
【発明が解決しようとする課題】
【０００４】
しかし、従来の盤設計方法によると、顧客の注文仕様を受注者が解釈しているので、盤を構成する機器を正しく選定するためには、受注者に多数の製品や複雑な配線技術に関する知識と経験が求められた。また、同じ機器を使用する場合でも、盤の種類や電源の種類に関して判断が異なると、ボックス内部の機器レイアウトや配線スペースが受注者によって相違してしまうという不都合もあった。
【０００５】
そこで、本発明の目的は、人的素養や判断への依存度を低くし、電気機器収納盤の見積と作図を精度よく簡易に行うことができる盤設計方法を提供することにある。
【課題を解決するための手段】
【０００６】
上記課題を解決するために、本発明は、顧客の注文に応じ、コンピュータを使用して、電気機器を収納する盤を設計するにあたり、次のような方法を採用したことを特徴とする。
【０００７】
（１）顧客が注文した盤の仕様を盤の種類、電源の種類、電気機器の種類を指定する情報としてコンピュータに入力する手順と、コンピュータが入力情報を解釈し、盤仕様に適合する電気機器とボックスを選定し、該電気機器およびボックスを含む盤の見積情報と図面情報を出力する手順とを備えたことを特徴とする盤設計方法。
【０００８】
（２）コンピュータが盤仕様に適合する電気機器を選定した後に、該電気機器がユニット対応機器であるか否かを判断することを特徴とする（１）に記載の盤設計方法。
【０００９】
（３）電気機器がユニット対応機器である場合に、該電気機器を搭載したユニットおよびボックスを含むユニット仕様盤の見積情報と図面情報を出力することを特徴とする（２）に記載の盤設計方法。
【００１０】
（４）ユニットを使用できない場合に、電気機器を暫定寸法のボックス内部に配置した特注仕様盤の見積情報と図面情報を出力することを特徴とする（３）に記載の盤設計方法。
【発明の効果】
【００１１】
本発明の盤設計方法によれば、顧客が注文した盤の仕様をコンピュータが解釈可能な情報として入力し、コンピュータの解釈結果に従って電気機器とボックスを選定するので、人的素養や判断への依存度を低くし、電気機器収納盤の見積と作図を精度よく簡易に行うことができるという効果がある。
【図面の簡単な説明】
【００１２】
【図１】ユニット仕様の分電盤を示す正面図である。
【図２】特注仕様の分電盤を示す斜視図である。
【図３】本発明による盤設計方法の一実施形態を示すフローチャートである。
【図４】盤仕様入力画面を示す模式図である。
【図５】検索条件設定画面を示す模式図である。
【図６】機器配置画面を示す模式図である。
【図７】ユニット仕様盤の見積画面を示す模式図である。
【図８】特注仕様盤の見積画面を示す模式図である。
【発明を実施するための形態】
【００１３】
以下、本発明を分電盤の設計方法に具体化した一実施形態を図面に基づいて説明する。図１に示すように、ユニット仕様の分電盤１は、ボックス２の内部にレール３を装備し、レール３上に主幹ユニット４と分岐ユニット５が設置され、両ユニット４，５の上下に配線スペース６が設けられ、前面に配線覆い７が装着されている。主幹ユニット４は主幹ブレーカ８と主幹バー９を主幹ベース１０上に組み付けて構成され、分岐ユニット５が複数の分岐ブレーカ１１と分岐バー１２を分岐ベース１３上に組み付けて構成されている。
【００１４】
図２に示すように、特注仕様の分電盤２１は、ボックス２２の内部にベース２３を装備し、ベース２３上に例えば電灯主幹ブレーカ２４、電灯分岐ブレーカ２５、動力主幹ブレーカ２６、動力分岐ブレーカ２７が非標準の配置で実装されている。なお、どちらの分電盤１，２１も、配線覆い７，２８には、ブレーカのハンドルを露出させるための窓穴２９が形成されている。
【００１５】
以上に例示した分電盤１，２１は、顧客の注文に応じ、コンピュータを用いて設計される。図３に機能的に示すように、コンピュータ３１は、見積システム３２と自動作図システム３３を構成し、キーボード（図示略）等から入力された盤仕様に基づいて、分電盤の見積情報と図面情報とを出力する。データベース３４には、機器情報を登録する機器マスタ３５、ボックス情報を登録するボックスマスタ３６、機器メーカーの名称を登録するメーカーマスタ３７、機器ごとにメーカーの選択順位を登録する順位マスタ３８等が設けられている。
【００１６】
分電盤の設計にあたっては、まず、顧客が注文した分電盤の仕様を受注者がコンピュータ３１に入力する（Ｓ１１１）。ここで、顧客の注文仕様は、少なくとも盤の種類、電源の種類、ブレーカの種類を指定する盤仕様文によって入力される。例えば、図４に示す盤仕様入力画面４１に表示された盤仕様文４２では、盤の種類「ＢＮ」が分電盤「ＢＵＮ」に、電源の種類「Ｐ」が単相三線式「１Ｐ３Ｗ２１０／１０５Ｖ」に、主幹ブレーカの種類「Ｍ」が漏電ブレーカ「ＥＬＢ３Ｐ１００Ａ」に、分岐ブレーカの種類「Ｂ」が配線用遮断器「ＭＣＢ２Ｐ２０Ａ・・・」にそれぞれ指定されている。いずれの盤仕様も、当業者が一般的に使用している名称をもとに、コンピュータ３１に入力可能な言語で記述されている。
【００１７】
ちなみに、制御盤と操作盤は「ＳＥＩ」、引込計器盤は「ＨＩＫＫ」、集合計器盤は「ＳＹＵ］と記述される。単相二線式の電源は「１Ｐ２Ｗ」、三相三線式の電源は「３Ｐ３Ｗ」と記述される。また、入力画面４１の行種欄に、例えば、一次送りを「Ｏ」、二次送りを「ＢＯ」、スペースを「ＳＰ」、中仕切りを「ＳＥＰ」などと指定し、文内容欄に実際に使用する機器の種類を記述することで、顧客が注文した盤仕様をコンピュータ３１に詳細に教示することができる。
【００１８】
盤仕様を入力すると、次に、受注者は入力画面４１のユニット検索ボタン４３をクリックし、必要に応じ、ボックスおよびユニットの検索条件を設定する（Ｓ１１２）。例えば、図５に示す検索条件設定画面４４において、ボックス２に対する電線の入線方向、ボックス２の型式、寸法、扉の型式、配線覆い７の有無、ユニット４，５のガターレス幅（配線スペース６の幅）、大きさの選定パターン等の検索条件を顧客の希望や分電盤の設置場所を考慮して設定する。
【００１９】
続いて、設定画面４４の検索開始ボタン４５がクリックされると、コンピュータ３１は、入力および設定情報を解釈し、今回の分電盤で実際に使用する機器である主幹ブレーカ製品、分岐ブレーカ製品およびボックス製品を選定する（Ｓ１１３）。そして、選定した製品がユニット対応機器、つまり関連部品と組み合わせて盤内に設置できる機器であるか否かを機器マスタ３５の属性情報に基づいて判断する（Ｓ１１４）。
【００２０】
選定したブレーカがユニット対応機器である場合は、ユニット仕様盤１（図１参照）に最適な主幹ユニット４と分岐ユニット５がデータベース３４の機器マスタ３５から検索されるとともに（Ｓ１１５）、これらのユニット４，５を収納可能な寸法のボックス２がボックスマスタ３６から検索される（Ｓ１１６）。そして、各マスタ３５，３６から取得した図面情報を使用し、シミュレーションによりボックス２の内部にユニット４，５と配線スペース６を配置する（Ｓ１１７）。
【００２１】
このとき、図６に示すように、機器配置画面４６には、今回設計するユニット仕様盤１の物件番号、ボックス２の品番と寸法、ユニット４，５および配線スペース６の組み合せを示す記号が表示される。機器情報欄には、実際に使用する主幹ブレーカ８および分岐ブレーカ１１の型番と数量が表示される。ユニット配置欄には、主幹ユニット４、一次送りユニット、分岐ユニット５、二次送りユニットに搭載されている機器の型番と数量が表示される。
【００２２】
これらの表示を確認し、受注者が機器配置画面４６の見積開始ボタン４７をクリックすると、コンピュータ３１は、続いて、データベース３４から取得した価格情報に基づいて、ボックス２およびユニット４，５を含む盤全体の見積価額を算出し、その結果を表示する（Ｓ１１８）。例えば、図７に示すユニット盤見積画面４８に、ブレーカ８，１１の明細を含む機器価格情報と、機器価格に加工費とボックス価格を加えた見積価額とを表示する。そして、画面４８の書込みボタン４９をクリックし、ユニット仕様盤１の見積情報と図面情報をサービスマスタ３９に格納する（Ｓ１１９）。
【００２３】
一方、選定した機器がユニット対応機器でなかった場合は（Ｓ１１４：Ｎｏ）、その旨が図５に示す検索条件設定画面４４のメッセージ欄５０に理由を添えて表示される。この場合、受注者は図４に示す盤仕様入力画面４１に戻り、見積開始ボタン４７をクリックして、特注仕様盤２１（図２参照）の設計処理を続行する。なお、盤仕様文４２を入力した段階で、今回の分電盤が特注品であると判断した場合は、検索条件を設定する手順をキャンセルし、直ちに特注仕様盤２１の設計に移行することができる。
【００２４】
特注仕様盤２１の設計にあたっては、標準寸法のボックス２２を使用できないため、まず、機器マスタ３５から読み出したブレーカ２４〜２７の仕様に基づいて、これらを収納できるボックス２２の容積を求め、その値からボックス２２の縦、横、深さの暫定寸法を算出する（Ｓ１２０）。次に、機器およびボックスマスタ３５，３６から取得した価格情報に基づいて、ブレーカ２４〜２７およびボックス２２を含む盤全体の見積価額を算出し、その結果を表示する（Ｓ１２１）。
【００２５】
例えば、図８に示す特注盤見積画面５１に、４種類のブレーカ２４〜２７の機器明細、ボックス２２の暫定寸法と検索品番を含むボックス明細、梱包料と配線覆い２８を含むボックス価格、加工費、これらを総計した見積価額を表示する。そして、見積画面５１の書込みボタン４９をクリックし、特注仕様盤２１の見積情報と図面情報をサービスマスタ３９に蓄積する（Ｓ１１９）。こうすれば、ユニット非対応機器を使用する特注仕様盤２１であっても、その見積を自動的に行うことができる。なお、ボックス２２の暫定寸法は見積後の承認図によって正式寸法に変更される。
【００２６】
図３に示す自動作図システム３３において、サービスマスタ３９に蓄積された図面情報は、ＣＡＤ５２による自動作図処理（Ｓ２００）に用いられ、例えば、顧客に提示する図面５３、ボックス２や配線覆い７等のＮＣ板金加工に使用するＮＣデータ５４、ピッキングや原価計算に使用する部品データ５５、負荷名称のラベル印刷に使用する印刷データ５６等に加工される。したがって、この実施形態の設計方法によれば、顧客の注文を盤仕様文４２で記述してコンピュータ３１に入力するだけの簡単な操作で、分電盤の見積から作図までの処理を連続的に行うことができる。
【００２７】
なお、上記実施形態では、主に分電盤の見積と作図について説明したが、顧客の注文に応じて盤仕様文を書き換えることによって、上述したと同様の手順で制御盤や操作盤等の設計を自動的に行うことができる。その他、本発明は上記実施形態に限定されるものではなく、発明の趣旨を逸脱しない範囲で各部の構成や手順を適宜に変更して実施することも可能である。
【符号の説明】
【００２８】
１    分電盤（ユニット仕様盤）
２    ボックス
４    主幹ユニット
５    分岐ユニット
８    主幹ブレーカ
１１    分岐ブレーカ
２１    分電盤（特注仕様盤）
２２    ボックス
２４    電灯主幹ブレーカ
２５    電灯分岐ブレーカ
２６    動力主幹ブレーカ
２７    動力分岐ブレーカ
３１    コンピュータ
３２    見積システム
３３    自動作図システム
３４    データベース
３９    サービスマスタ
５２    ＣＡＤ
【図１】
0005461203.tif 000002
【図２】
0005461203.tif 000003
【図３】
0005461203.tif 000004
【図４】
0005461203.tif 000005
【図５】
0005461203.tif 000006
【図６】
0005461203.tif 000007
【図７】
0005461203.tif 000008
【図８】
0005461203.tif 000009